(57)【要約】【課題】  降雨や潅水による毒餌剤の崩壊や有効な薬剤成分の流出がなく、長期間にわたって駆除効果を維持し、有効にナメクジ等の腹足類害虫を駆除することができる安価な腹足類害虫用駆除具を提供すること。【解決手段】  腹足類害虫用駆除具１は、土壌４へ差し込むための差込部２ａまたは土壌４を入れた容器に固定するための固定手段を有する支持体２と、支持体２の表面に固着された、ワックスまたは水性塗料を基剤とした腹足類害虫用毒餌剤３と、を備えている。支持体２の差込部２ａを土壌４に突き刺して腹足類害虫用駆除具１を設置し、腹足類害虫用毒餌剤３に混合された誘引剤によって腹足類害虫５を誘引し、毒餌剤３を舐めさせて駆除する。【選択図】  図１
2005095133.tif 000002
【特許請求の範囲】
【請求項１】
土壌へ差し込むための差込部または前記土壌を入れた容器に固定するための固定手段を有する支持体と、
前記支持体の表面に固着された、ワックスまたは水性塗料を基剤とした腹足類害虫用毒餌剤と、
を備えていることを特徴とする腹足類害虫用駆除具。
【請求項２】
前記腹足類害虫用毒餌剤が、炭化水素、高級脂肪酸、高級脂肪族アルコール、および高級脂肪酸エステルからなる群から選ばれた少なくとも１種のワックスを基剤とし、当該基剤に腹足類害虫を誘引するための誘引剤、および腹足類害虫駆除薬剤が混合されたものであることを特徴とする請求項１に記載した腹足類害虫用駆除具。
【請求項３】
前記腹足類害虫用毒餌剤が、アクリル・ウレタン共重合樹脂エマルジョンペイントまたはアクリル樹脂水性ニスを基剤とし、当該基剤に腹足類害虫を誘引するための誘引剤、および腹足類害虫駆除薬剤が混合されたものであることを特徴とする請求項１に記載した腹足類害虫用駆除具。
【請求項４】
前記支持体は、前記土壌と前記腹足類害虫用毒餌剤とを所定の距離だけ離間させて設置するための間隔形成手段を備えていることを特徴とする請求項１から請求項３のいずれか１項に記載した腹足類害虫用駆除具。
【請求項５】
支持体にワックスまたは水性塗料を基剤とした腹足類害虫用毒餌剤が固着された腹足類害虫用駆除具を用いて腹足類害虫を駆除する腹足類害虫駆除方法であって、前記腹足類害虫用駆除具を設置したとき、前記腹足類害虫用毒餌剤と土壌とを所定の距離だけ離間させて設置し、腹足類害虫を駆除することを特徴とする腹足類害虫駆除方法。
【発明の詳細な説明】
【技術分野】
【０００１】
本発明は、腹足類害虫用駆除具および腹足類害虫駆除方法に関し、より詳細には、長期間にわたって駆除効果を維持でき且つ有効に腹足類害虫を駆除することができる腹足類害虫用駆除具および腹足類害虫駆除方法に関する。
【背景技術】
【０００２】
例えばナメクジ等といった腹足類害虫は、野菜や花卉等を食害する害虫であり、その外観からも不快害虫として、駆除の対象とされている。腹足類害虫の駆除は、米糠、ふすま、等を基剤とし、その基剤に駆除成分を含ませたものからなる顆粒状薬剤を駆除領域内に散布して行なうのが一般的である。
【０００３】
また、顆粒状薬剤以外の駆除具としては、棒状支柱に深傘を付設し、深傘内にナメクジ駆除剤を装着したナメクジ等駆除具が知られている（例えば、特許文献１参照）。
【特許文献１】特開平８−５１９１１号公報（第２〜３頁、図１）
【発明の開示】
【発明が解決しようとする課題】
【０００４】
ナメクジ等を駆除するために顆粒状薬剤が散布される畑、庭、植木鉢、等は、降雨や潅水に曝される機会が多く、また、ナメクジ等の腹足類害虫の活動域には湿気が多いため、顆粒状薬剤が吸水して形状を維持することができずに崩壊したり、薬剤成分が流出して駆除効果が低減される可能性が高い。このため、本来、顆粒状薬剤を散布したい腹足類害虫が活発に活動する降雨時に駆除効果が望めない。更に、潅水前には顆粒状薬剤の使用を控える必要がある等、ガーデニング用品としては使い勝手が悪く、改善の余地がある。
【０００５】
また、特許文献１に開示されているナメクジ等駆除具は、棒状支柱に深傘を付設し、深傘内にナメクジ駆除剤を装着することによってナメクジ駆除剤が降雨や潅水で濡れるのを防止するようになっており、ナメクジ駆除剤が水で濡れることによる不具合の解消が図られている。しかし、特許文献１ではナメクジ駆除剤について詳細に記載されておらず、深傘内に単に従来のナメクジ駆除剤を配置した構造では、吸湿や乾燥等によりナメクジ駆除剤の崩壊や薬剤成分の流出が生じて駆除効果が低下する可能性が高い。このように、特許文献１に開示されているナメクジ等駆除具でも、ナメクジを有効に駆除する上で、十分とは言えない。
【０００６】
その上、特許文献１に開示されているナメクジ等駆除具ではナメクジ駆除剤が深傘内に装着されているので、ナメクジ駆除剤から揮散する誘引成分が深傘内に留まり、誘引成分を広い範囲に揮散させることができず、よって効率よくナメクジを誘引できない可能性が高い。また、深傘内に装着されているナメクジ駆除剤は、ナメクジ等駆除具が土壌に差し込まれた状態では目視することができないため、ナメクジ駆除剤の残量等を目視によって確認することが難しい。即ち、ナメクジ等駆除具の交換時期を知るには、ナメクジ等駆除具を土壌から引き抜いて裏返さなければ確認できない。更に、このナメクジ等駆除具は、棒状支柱に深傘が付設された複雑な形状を有するので、安価に製作することができない。
【０００７】
本発明は、前述した事情に鑑みてなされたものであり、その目的は、降雨や潅水による毒餌剤の崩壊や有効な薬剤成分の流出がなく、長期間にわたって駆除効果を維持でき且つ有効に腹足類害虫を駆除することができる安価な腹足類害虫用駆除具および腹足類害虫駆除方法を提供することにある。
【課題を解決するための手段】
【０００８】
前述した目的を達成するため、本発明に係る腹足類害虫用駆除具は、下記（１），（２），（３），（４）を特徴としている。
【０００９】
（１）土壌へ差し込むための差込部または前記土壌を入れた容器に固定するための固定手段を有する支持体と、前記支持体の表面に固着された、ワックスまたは水性塗料を基剤とした腹足類害虫用毒餌剤と、を備えていること。
【００１０】
（２）前記腹足類害虫用毒餌剤が、炭化水素、高級脂肪酸、高級脂肪族アルコール、および高級脂肪酸エステルからなる群から選ばれた少なくとも１種のワックスを基剤とし、当該基剤に腹足類害虫を誘引するための誘引剤、および腹足類害虫駆除薬剤が混合されたものであること。
【００１１】
（３）  前記腹足類害虫用毒餌剤が、アクリル・ウレタン共重合樹脂エマルジョンペイントまたはアクリル樹脂水性ニスを基剤とし、当該基剤に腹足類害虫を誘引するための誘引剤、および腹足類害虫駆除薬剤が混合されたものであること。
【００１２】
（４）  前記支持体は、前記土壌と前記腹足類害虫用毒餌剤とを所定の距離だけ離間させて設置するための間隔形成手段を備えていること。
【００１３】
また、本発明に係る腹足類害虫駆除方法は、支持体にワックスまたは水性塗料を基剤とした腹足類害虫用毒餌剤が固着された腹足類害虫用駆除具を用いて腹足類害虫を駆除する腹足類害虫駆除方法であって、前記腹足類害虫用駆除具を設置したとき、前記腹足類害虫用毒餌剤と土壌とを所定の距離だけ離間させて設置し、腹足類害虫を駆除することを特徴とする。
【００１４】
上記の特徴を有する本発明の腹足類害虫用駆除具ならびに腹足類害虫駆除方法によって、例えば、ナメクジ、ウスカワマイマイ、カタツムリ、ミヤイリ貝、等の腹足類害虫を誘引、駆除することができる。
【発明の効果】
【００１５】
本発明に係る腹足類害虫用駆除具によれば、腹足類害虫用毒餌剤がワックスまたは水性塗料を基剤としたものであって耐水性が高いため、降雨や潅水等によって濡れても当該毒餌剤が崩壊したり、有効な薬剤成分が流出することがなく、長期間にわたって安定して駆除効果を維持することができ且つ、土壌を汚染することもない。従って、降雨時等といった腹足類害虫が活発に活動する時期に合わせて腹足類害虫用駆除具を設置しても、腹足類害虫を効果的に駆除することができる。
【００１６】
また、本発明に係る腹足類害虫用駆除具は、ワックスを基剤とした腹足類害虫用毒餌剤を備えていることから、降雨や潅水で濡れるのを防止するために深傘等といった傘部材を備える必要がなく且つ、支持体に固着された腹足類害虫用毒餌剤全体が傘部材等で覆われることなく腹足類害虫用駆除具の外部に露出されるため、構造をシンプルにでき、これにより安価に製作することができるとともに、腹足類害虫用毒餌剤からの誘引成分を広く揮散させて効率よく腹足類害虫を誘引、そして駆除することができる。
【００１７】
また、本発明に係る腹足類害虫用駆除具は、アクリル・ウレタン共重合樹脂エマルジョンペイントまたはアクリル樹脂水性ニスなどの水性塗料を基剤とし、当該基剤に誘引剤、および腹足類害虫駆除薬剤が混合された腹足類害虫用毒餌剤を備えていることから、高い耐水性を有しており、降雨や潅水等によって濡れても当該毒餌剤が崩壊したり、有効な薬剤成分が流出することがなく、長期間にわたって安定して駆除効果を維持することができ且つ、土壌を汚染することもない。また、腹足類害虫用駆除具の製造時において支持体の表面に固着させた腹足類害虫駆除薬剤の乾燥時間が短く、効率よく安価に腹足類害虫用駆除具を製作することができる。
【００１８】
また、本発明に係る腹足類害虫用駆除具は、腹足類害虫用駆除具を設置するとき、土壌と腹足類害虫用毒餌剤とを所定の距離だけ離間させて設置するための間隔形成手段を備えているので、腹足類害虫用毒餌剤を土壌から離間させて設置することができる。従って、表面に水が溜まった土壌への設置が可能となり、また腹足類害虫用毒餌剤が土壌から直接吸湿するのを防止して長期間、有効に作用させることができると共に、薬剤成分による土壌の汚染を防止することができる。
【００１９】
また、本発明に係る腹足類害虫駆除方法によれば、腹足類害虫用毒餌剤がワックスまたは水性塗料を基剤としたものであって耐水性が高いため、降雨や潅水等によって濡れても当該毒餌剤が崩壊したり、有効な薬剤成分が流出することがなく、長期間にわたって安定して駆除効果を維持することができ且つ、土壌を汚染することもない。従って、降雨時等といった腹足類害虫が活発に活動する時期に合わせて腹足類害虫用駆除具を設置しても、腹足類害虫を効果的に駆除することができる。また、本発明に係る腹足類害虫駆除方法によれば、腹足類害虫用駆除具を設置するとき、土壌と腹足類害虫用毒餌剤とを所定の距離だけ離間させて設置するため、表面に水が溜まった土壌への設置が可能となり、また腹足類害虫用毒餌剤が土壌から直接吸湿するのを防止して長期間、有効に作用させることができると共に、薬剤成分による土壌の汚染を防止することができる。
【００２０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２１】
以下、本発明に係る好適な実施形態を図面に基づいて詳細に説明する。
【００２２】
（第１実施形態）
図１は本発明の第１実施形態である腹足類害虫用駆除具の正面図、そして図２は図１におけるＩＩ−ＩＩ矢視縦断面図である。
【００２３】
図１および図２に示されるように、腹足類害虫用駆除具１は、支持体２と、腹足類害虫用毒餌剤（以後、『腹足類害虫用毒餌剤』または単に『毒餌剤』と記述する。）３と、を備えている。
【００２４】
支持体２は、毒餌剤３を保持するためのものであって、例えば木、合成樹脂、金属、セラミック、ガラス、等のいずれか、またはそれらの組合せから形成された直径４ｍｍ〜１０ｍｍ、長さ５０ｍｍ〜１５０ｍｍの棒状部材、或いは幅５ｍｍ〜２０ｍｍ、厚み３ｍｍ〜１０ｍｍ、長さ５０ｍｍ〜１５０ｍｍの平板棒状部材である。支持体２の一端は先細り状に形成された差込部２ａである。この差込部２ａを例えば畑の土、庭の土、植木鉢の土、等といった土壌４に突き刺すことにより、任意の場所に腹足類害虫用駆除具１を設置できるようになっている。
【００２５】
腹足類害虫用駆除具１は、設置場所に例えば垂直に差し込んで設置できるので、狭い設置場所や作物、園芸物、等の近傍にも容易に設置することが可能である。また、駆除効果を更に向上させるために、複数本の腹足類害虫用駆除具１を密に隣接させて設置することもできる。
【００２６】
毒餌剤３は、ナメクジ等の腹足類害虫５を誘引し、駆除するためのものであって、支持体２の差込部２ａから離間した支持体２の他端側全体（即ち、他端側の外周面および端面）に塗布され且つ乾燥されて固着されている（換言すれば、支持体２の他端側全体を覆うように設けられている）。
【００２７】
毒餌剤３は、例えば、ノルマルパラフィン（分子量４００前後・炭素数３０前後・融点６０℃前後・分子量８００前後・炭素数６０前後・融点１００℃前後；例えば炭素数２６：ヘキサコサン、２８：オクタコサン、３０：トリアコンタン、３２：ドトリアコンタン、３４：テトラトリアコンタン、炭素数５６：ヘキサペンタコンタン、５８：オクタペンタコンタン、６０：ヘキサコンタン、６２：ドヘキサコンタン、６４：テトラヘキサコンタン）、等の炭化水素、例えば、ベヘニン酸、リグノセリン酸、ヘキサコサン酸、等の高級脂肪酸、例えば、イコサノール、ドコサノール、テトラコサノール、等の高級脂肪族アルコール、および例えば、パルミチン酸、ベヘニン酸等とセリルアルコール、ミリシルアルコール等のエステル、等の高級脂肪酸エステルからなる群から選ばれた少なくとも１種のワックス、または例えば、アクリル・ウレタン共重合樹脂エマルジョンペイント、アクリル樹脂水性ニス、等の水性塗料を基剤とし、当該基剤に、腹足類害虫５を誘引するためのビール酵母または蛹粉を含む誘引剤、および腹足類害虫駆除薬剤であるメタアルデヒドが混合して練り込まれている。支持体２に固着される毒餌剤３の量は、例えば、１．５ｇ／支持体であり、毒餌剤３の厚さは、基剤としてワックスを用いた場合には約０．５〜１０ｍｍであり、基剤として水性塗料を用いた場合には約０．１〜１０ｍｍである。尚、基剤としてワックスを用いる場合、ワックス５０〜９０重量％、誘引剤１０〜５０重量％の混合割合とするのが好ましい。毒餌剤３に用いるワックスの具体例としては、商品名「ＳＰ−０１４５」（融点６２℃）：日本精蝋株式会社製、商品名「ＬＵＶＡＸ−１２１１」（融点９８℃）：日本精蝋株式会社製、等が挙げられる。
【００２８】
基剤として水性塗料を用いる場合、水性塗料２０〜９０重量％、誘引剤１０〜５０重量％の混合割合とするのが好ましく、毒餌剤３を支持体２に塗布したとき、垂れ落ちない程度の粘度に調整可能であり、また、３時間程度以内の短時間で乾燥すると共に乾燥後にひび割れが発生しないものが望ましい。このような水性塗料としては、アクリル・ウレタン共重合体を基剤とする水性外壁用ペイント（粘度５００〜５０００ｍＰａ・ｓ）、または、水性ニス（粘度５０〜１５００ｍＰａ・ｓ）が例示される。該基剤と誘引剤、および腹足類害虫駆除薬剤との混合後の好ましい粘度は、アクリル・ウレタン共重合体を基剤とする水性外壁用ペイントを用いた毒餌剤３については５０００〜１０００００ｍＰａ・ｓ、更に望ましくは１００００〜２００００ｍＰａ・ｓであり、水性ニスを基剤とする毒餌剤３については５０００〜１０００００ｍＰａ・ｓ、更に望ましくは３００００〜５００００ｍＰａ・ｓである。このような水性塗料の具体例としては、商品名「スーパーヒット」：カンペハピオ株式会社製、商品名「水性ニス」：アサヒペン株式会社製、等が挙げられる。
【００２９】
基剤であるワックスまたは水性塗料に混合される誘引剤としては、前述したビール酵母と蛹粉の他、酒かす、オキアミパウダー、卵黄、チキンエキスパウダー、シーズニングオイル、ストロベリーパウダー、ピーチパウダー、マッシュルームエキス、魚粉、牛（豚）肉粉、等を用いることができる。また、腹足類害虫駆除薬剤は、メタアルデヒドに代えて、塩化トリフェノール錫、酢酸トリフェノール錫、マクロテトラノイド、リン酸鉄、２−メチル−２−メチルチオ−６−ニトロフェノール、イソシアヌール酸トリアリルエステル、デヒドロ酢酸ナトリウム、硫酸銅５水和物、硫酸アルミニウム、ジクロラル尿素（１，３−ビス（２，２，２−トリクロル−１−ヒドロキシエチル）尿素）、メキサカルベート（４−ジメチルアミノ−３，５−キシリル−Ｎ−メチルカーバメート）、メチオカーブ（３，５−ジメチル−４−（メチルチオ）フェニルメチルカーバメート）、ニクロサミド（５−クロル−Ｎ−（２−クロル−４−ニトロフェニル）−２−ヒドロキシベンズアミド）、ＴＢＳ（Ｎ−１４−ブロムフェニル）−２−ヒドロキシ−３，５−ジブロムベンズアミド−Ｎ−トリフェニルメチルアミン）、トリフェンモルフ（Ｎ−トリチルモルフォリン）、イソピンピネリン（２，６−ジブロム−４−（４−ニトロフェニルアゾ）フェノール）、等を用いてもよい。更に必要に応じて、フェニル−β−ナフリルアミンα−ナフリルアミン  Ｎ，Ｎ−ジ−第三ブチル−ｐ−フェニレンジアミン、２，６−ジ−第三ブチル−ｐ−クレゾール（ＢＨＴ）、２，６−第三ブチル−フェノール、２，４−ジ−メチル−６−第三ブチルフェノール、ブチルヒドロキシアニソール（ＢＨＡ）、等の酸化防止剤、黄色２号、黄色４号、赤色２号、赤色３号、赤色１０２号、青色１号、青色２号、緑色２０１号、緑色２０２号、等の色素、フェニルサリチレート、モノグリコリコールサリチレート、ｐ−第三ブチルフェニルサリチレート、２−ヒドロキシ−４−メトキシベンゾフェノン、２−ヒドロキシ−４−オクトキシベンゾフェノン、２（２−ヒドロキシ−５−メチルフェニル）ベンゾトリアゾール（チヌピン）、等の光安定剤、等を用いてもよい。
【００３０】
毒餌剤３は、炭化水素、高級脂肪酸、高級脂肪族アルコール、高級脂肪酸エステル、等といったワックス、またはアクリル・ウレタン共重合樹脂エマルジョンペイント、アクリル樹脂水性ニス、アクリル樹脂エマルジョンペイント、スチレンマレイン酸樹脂エマルジョンペイント、等といった水性塗料が基剤とされているので耐水性が高く、水に濡れても形状が崩れることはない。また、これによって誘引剤および腹足類害虫駆除薬剤は、長期間、基剤であるワックスまたは水性塗料に安定して保持される。
【００３１】
次に、本実施形態の作用を説明する。
【００３２】
腹足類害虫用駆除具１は、図２に示されるように、支持体２の差込部２ａを例えば畑の土、庭の土、植木鉢の土、等といった土壌４の任意の位置に突き刺すことにより容易に設置される。このとき、土壌４を薬剤で汚染させないために、毒餌剤３が土壌４に接触しないように、適当な距離だけ離間させて設置することが好ましい。
【００３３】
毒餌剤３に混合された誘引剤から誘引成分が揮散して腹足類害虫用駆除具１の周囲の空間に拡散すると、ナメクジ等の腹足類害虫５は、誘引成分に誘引されて支持体２を這い上がり、毒餌剤３を舐め、やがて死に至り、駆除される。
【００３４】
毒餌剤３は、その基剤として炭化水素、高級脂肪酸、高級脂肪族アルコール、高級脂肪酸エステル、等のワックス、またはアクリル・ウレタン共重合樹脂エマルジョンペイント、アクリル樹脂水性ニス、等の水性塗料が用いられ、該基剤に誘引剤および腹足類害虫駆除薬剤が混合されているので、ワックスまたは水性塗料の持つ耐水効果によって毒餌剤３が水に濡れても形状が崩れることはない。従って、腹足類害虫用駆除具１は、長期間にわたって安定した性能を維持し、有効に腹足類害虫５を駆除する。
【００３５】
（第２実施形態）
次に、腹足類害虫用駆除具の第２実施形態を図３および図４を参照して説明する。図３は本発明の第２実施形態である腹足類害虫用駆除具の正面図、そして図４は図３におけるＩＶ−ＩＶ矢視縦断面図である。
【００３６】
図３および図４に示されるように、第２実施形態の腹足類害虫用駆除具１０は、毒餌剤１１の成型形状のみが第１実施形態の腹足類害虫用駆除具１と異なり、その他の部分は同様であるので、同一部分には同一符号または相当符号を付して説明を簡略化または省略する。
【００３７】
毒餌剤１１は、三角錐、四角錐、五角錐、或いは六角錐、等といった頂部が先細りしている多角錐形状を外形として有するように、支持体２に塗布され且つ乾燥されて固着されている。なお、基剤として水性塗料を用いるなどして、支持体２に毒餌剤３を厚く塗布し、乾燥させることが困難な場合には、支持体２の形状を三角錐、四角錐、五角錐、或いは六角錐、等といった多角錐形状に形成しておき、これに毒餌剤３を塗布、乾燥させるようにしてもよい。毒餌剤１１の成分は、第１実施形態の毒餌剤３と同様である。
【００３８】
第２実施形態の腹足類害虫用駆除具１０は、多角錐形状に成形されているので、第１実施形態のように外形が円柱状のものと比較すると表面積が広く、誘引剤からより多くの誘引成分を揮散させて効率よくナメクジ等の腹足類害虫５を誘引することができる。
【００３９】
次に、本実施形態の作用を説明する。
【００４０】
第２実施形態の腹足類害虫用駆除具１０は、図４に示されるように、支持体２の差込部２ａを土壌４の任意の位置に突き刺すことにより設置され、第１実施形態の腹足類害虫用駆除具１と同様に作用して、ナメクジ等の腹足類害虫５を駆除する。尚、表面積の広い多角錐形状の毒餌剤１１からは、多くの誘引成分が周囲に揮散されるので、ナメクジ等の腹足類害虫５は、広い範囲から効率よく誘引されて駆除される。また、支持体２に固着される毒餌剤３の量を多くできることから、より長期間の使用が可能となる。
【００４１】
尚、図４中、点線で示されるように、毒餌剤１１の外周にリング状の把持部１１ａを取り付けてもよい。使用者（不図示）は、この把持部１１ａを指で把持しながら差込部２ａを土壌４に突き刺すことによって、毒餌剤１１に触れることなく腹足類害虫用駆除具１０を任意の位置に設置することができる。或いは、使用者（不図示）は、把持部１１ａを把持しながら腹足類害虫用駆除具１０を土壌４から引き抜いて毒餌剤１１に触れることなく設置場所から移動させることもできる。このように、毒餌剤１１に触れることなく腹足類害虫用駆除具１０を設置或いは移動できるので、安全性がより向上する。
【００４２】
このようなリング状の把持部１１ａに代えて、シュリンクフィルム（不図示）で毒餌剤１１全体を包んでもよい。使用者（不図示）は、このシュリンクフィルム（不図示）に包まれた毒餌剤１１を指で把持しながら差込部２ａを土壌４に突き刺すことによって、毒餌剤１１に触れることなく腹足類害虫用駆除具１０を任意の位置に設置することができ、そして腹足類害虫用駆除具１０の設置後、シュリンクフィルム（不図示）を取り外せばよい。このように、毒餌剤１１に触れることなく腹足類害虫用駆除具１０を設置できるので、安全性が向上する。
【００４３】
（第３実施形態）
次に、本発明の腹足類害虫用駆除具の第３実施形態を説明する。図５は本発明の第３実施形態である腹足類害虫用駆除具の正面図、そして図６は図５におけるＶＩ−ＶＩ矢視縦断面図である。
【００４４】
図５および図６に示されるように、第３実施形態の腹足類害虫用駆除具２０は、支持体２１の形状のみが第１実施形態の腹足類害虫用駆除具１と異なり、その他の部分は同様であるので、同一部分には同一符号または相当符号を付して説明を簡略化または省略する。
【００４５】
支持体２１は、毒餌剤３を保持するためのものであって、例えば木、合成樹脂、金属、セラミック、ガラス、等のいずれか、またはそれらの組合せから形成された棒状部材である。支持体２１の一端は先細り状に形成された差込部２ａであり、そして支持体２１の他端は貫通孔を有するリング状に形成された把持部２１ｂである。
【００４６】
差込部２１ａと把持部２１ｂとの間（即ち、支持体２１の一端から見て、把持部２１ｂを除く他端側の外周面）には、毒餌剤３が全体に塗布され且つ乾燥されて固着されている（換言すれば、支持体２の差込部２１ａと把持部２１ｂとの間の外周面を覆うように設けられている）。この毒餌剤３の成分も、第１実施形態の毒餌剤と同様である。
【００４７】
次に、本実施形態の作用を説明する。
【００４８】
第３実施形態の腹足類害虫用駆除具２０は、図６に示されるように、第１実施形態の腹足類害虫用駆除具１と同様に、毒餌剤３に含まれる誘引剤から誘引成分を揮散させて広い範囲からナメクジ等の腹足類害虫５を誘引し、腹足類害虫駆除薬剤を舐めさせて駆除する。
【００４９】
また、使用者（不図示）は、把持部２１ｂを指で摘みながら差込部２１ａを土壌４に突き刺すことによって、毒餌剤３に触れることなく腹足類害虫用駆除具２０を任意の位置に設置することができる。或いは、使用者（不図示）は、把持部２１ｂを把持しながら腹足類害虫用駆除具２０を土壌４から引き抜いて毒餌剤３に触れることなく設置場所から移動させることもできる。
【００５０】
尚、本実施形態によれば、毒餌剤３に触れることなく設置或いは移動できるので、安全性がより向上する。
【００５１】
（第４実施形態）
次に、本発明の腹足類害虫用駆除具の第４実施形態を説明する。図７は本発明の第４実施形態である腹足類害虫用駆除具の正面図、そして図８は図７におけるＶＩＩＩ−ＶＩＩＩ矢視縦断面図である。
【００５２】
図７および図８に示されるように、第４実施形態の腹足類害虫用駆除具３０は、支持体３２の形状のみが第１実施形態の腹足類害虫用駆除具１と異なり、その他の部分は同様であるので、同一部分には同一符号または相当符号を付して説明を簡略化または省略する。
【００５３】
支持体３２は、毒餌剤３を保持するためのものであって、例えば木、合成樹脂、金属、セラミック、ガラス、等のいずれか、またはそれらの組合せから形成された棒状部材である。支持体３２の一端は先細り状に形成された差込部３２ａであり、差込部３２ａと毒餌剤３との間には、毒餌剤３の下端から所定の距離Ｘ（例えば、１０ｍｍ〜３０ｍｍ）だけ離間して、間隔形成手段の一例である突起３２ｂが設けられている。また、毒餌剤３の成分は、第１実施形態の毒餌剤と同様である。
【００５４】
次に、本実施形態の作用を説明する。
【００５５】
第４実施形態の腹足類害虫用駆除具３０は、図８に示されるように、第１実施形態の腹足類害虫用駆除具１と同様に、毒餌剤３に含まれる誘引剤から誘引成分を揮散させて広い範囲からナメクジ等の腹足類害虫５を誘引し、腹足類害虫駆除薬剤を舐めさせて駆除する。
【００５６】
また、腹足類害虫用駆除具３０の設置は、突起３２ｂが土壌４に接触するまで差込部３２ａを土壌４に突き刺して設置される。これによって、腹足類害虫用駆除具３０は、腹足類害虫用駆除具３０を起立させた状態で維持するのに必要な十分な長さで土壌４に突き刺される。また、土壌４と毒餌剤３との間に所定の距離Ｘが確保され、毒餌剤３が土壌４に直接接触することがないので、毒餌剤３が土壌４から吸湿したり、薬剤成分によって土壌４を汚染することが防止される。また、突起３２ｂはツバ形状等を有しているので、突起３２ｂの下面と土壌４の表面との大きな面接触により、腹足類害虫用駆除具３０の起立性が良い。
【００５７】
尚、間隔形成手段としては、図８に示される突起３２ｂに限定する必要はなく、例えば、支持体３２に圧入等の手段によって固定されるリング状部材、或いは印刷、彫込み等により支持体３２に記された目印、或いは凹部、等とすることもできる。
【００５８】
（第５実施形態）
次に、本発明の腹足類害虫用駆除具の第５実施形態を説明する。図９は本発明の第５実施形態である腹足類害虫用駆除具の縦断面図である。
【００５９】
図９に示されるように、第５実施形態の腹足類害虫用駆除具４０は、支持体４２の形状のみが第１実施形態の腹足類害虫用駆除具１と異なり、その他の部分は同様であるので、同一部分には同一符号または相当符号を付して説明を簡略化または省略する。
【００６０】
支持体４２は、毒餌剤３を保持するためのものであって、例えば木、合成樹脂、金属、セラミック、ガラス、等のいずれか、またはそれらの組合せにより直線部の長さの異なる略逆Ｕ字形に形成された棒状部材である。支持体４２の長直線部４２ｃの一端は、先細り状に形成された差込部４２ａである。短直線部４２ｄには、毒餌剤３が塗布され且つ乾燥されて固着されている。この毒餌剤３の成分も、第１実施形態の毒餌剤と同様である。
【００６１】
尚、支持体４２の長直線部４２ｃには、毒餌剤３から距離Ｘ（例えば、１０ｍｍ〜３０ｍｍ）だけ離間させて突起４２ｅを設けるようにしてもよい。これによって、差込部４２ａを土壌４に突き刺して腹足類害虫用駆除具４０を設置したとき、毒餌剤３を土壌４から所定の距離Ｘだけ離間させて設置することができる。尚、突起４２ｅは距離Ｘを調節できるように支持体４２に摺動および固定できるものでもよい。
【００６２】
次に、本実施形態の作用を説明する。
【００６３】
第５実施形態の腹足類害虫用駆除具４０は、図９に示されるように、第１実施形態の腹足類害虫用駆除具１と同様に、毒餌剤３に含まれる誘引剤から誘引成分を揮散させて広い範囲からナメクジ等の腹足類害虫５を誘引し、腹足類害虫駆除薬剤を舐めさせて駆除する。
【００６４】
腹足類害虫用駆除具４０によると、毒餌剤３が上方から垂下された状態で配置されるので、第１実施形態の腹足類害虫用駆除具１と同様に、土壌４にいるナメクジ等の腹足類害虫５を誘引して駆除することができると共に、ナメクジ等の腹足類害虫５がいる植物に毒餌剤３を近接或いは接触させて設置し、当該植物にいるナメクジ等の腹足類害虫５を効率よく誘引、そして駆除することが可能となる。
【００６５】
（第６実施形態）
次に、本発明の腹足類害虫用駆除具の第６実施形態を説明する。図１０は本発明の第６実施形態である腹足類害虫用駆除具の縦断面図である。
【００６６】
図１０に示されるように、第６実施形態の腹足類害虫用駆除具５０は、支持体５２の形状のみが第１実施形態の腹足類害虫用駆除具１と異なり、その他の部分は同様であるので、同一部分には同一符号または相当符号を付して説明を簡略化または省略する。
【００６７】
支持体５２は、毒餌剤３を保持するためのものであって、例えば木、合成樹脂、金属、セラミック、ガラス、等のいずれか、またはそれらの組合せを略逆Ｕ字形に形成した固定手段の一例であるクリップ部５２ａと、クリップ部５２ａから上方に延設された直線部５２ｂとが一体的に形成されている。クリップ部５２ａは、逆Ｕ字形の開口幅が拡縮自在となっており、植木鉢５３の周縁部５３ａ等を狭持して固定するようになっている。直線部５２ｂには、毒餌剤３が塗布され且つ乾燥されて固着されている。この毒餌剤３の成分も、第１実施形態の毒餌剤と同様である。
【００６８】
次に、本実施形態の作用を説明する。
【００６９】
第６実施形態の腹足類害虫用駆除具５０は、図１０に示されるように、第１実施形態の腹足類害虫用駆除具１と同様に、毒餌剤３に含まれる誘引剤から誘引成分を揮散させて広い範囲からナメクジ等の腹足類害虫５を誘引し、腹足類害虫駆除薬剤を舐めさせて駆除する。
【００７０】
腹足類害虫用駆除具５０は、鉢５３の周縁部５３ａ、庭等に配置された柵（不図示）、ナメクジ等の腹足類害虫５の駆除対象とされた木の枝（不図示）、等を固定手段であるクリップ部５２ａで狭持して、任意の場所に容易に設置することができる。尚、腹足類害虫用駆除具５０は、適宜の固定対象物をクリップ部５２ａで狭持して設置されるので、腹足類害虫用駆除具５０が効率よく作用するように、毒餌剤３を土壌４に対して任意の姿勢、例えば、土壌４に垂直方向、水平方向、或いは任意の角度で傾斜させて設置することができる。
【００７１】
（第７実施形態）
次に、本発明の腹足類害虫用駆除具の第７実施形態を説明する。図１１は本発明の第７実施形態である腹足類害虫用駆除具の縦断面図である。
【００７２】
図１１に示されるように、第７実施形態の腹足類害虫用駆除具６０は、支持体６２の形状のみが第１実施形態の腹足類害虫用駆除具１と異なり、その他の部分は同様であるので、同一部分には同一符号または相当符号を付して説明を簡略化または省略する。
【００７３】
支持体６２は、毒餌剤３を保持するためのものであって、例えば木、合成樹脂、金属、セラミック、ガラス、等のいずれか、またはそれらの組合せにより略コの字形に形成された部材であり、中間部６２ａと２本の脚部６２ｂとが一体に形成されている。支持体６２の中間部６２ａには、毒餌剤３が塗布され且つ乾燥されて固着されている。この毒餌剤３の成分も、第１実施形態の毒餌剤と同様である。
【００７４】
次に、本実施形態の作用を説明する。
【００７５】
第７実施形態の腹足類害虫用駆除具６０は、図１１に示されるように、第１実施形態の腹足類害虫用駆除具１と同様に、毒餌剤３に含まれる誘引剤から誘引成分を揮散させて広い範囲からナメクジ等の腹足類害虫５を誘引し、腹足類害虫駆除薬剤を舐めさせて駆除する。
【００７６】
腹足類害虫用駆除具６０は、２本の脚部６２ｂを土壌４に突き刺し、毒餌剤３を略水平に配置して設置される。これによって、毒餌剤３を土壌４から距離Ｘ（例えば、１０ｍｍ〜３０ｍｍ）だけ離間させ、且つ毒餌剤３を広い面積で土壌４に対向させて設置することができる。従って、多くの誘引成分を土壌４の表面に拡散させて、広い範囲から効率よくナメクジ等の腹足類害虫５を誘引し、そして駆除する。
【００７７】
尚、支持体６２の２本の脚部６２ｂには、毒餌剤３が土壌４から距離Ｘだけ離間するように突起６２ｅを設けてもよい。これによって、突起６２ｅが土壌４に接触するまで、脚部６２ｂを土壌４に突き刺して腹足類害虫用駆除具６０を設置して、毒餌剤３を土壌４から所定の距離Ｘだけ確実且つ容易に離間させて設置することができる。
【００７８】
第１実施形態〜第７実施形態に係る腹足類害虫用駆除具によれば、腹足類害虫用毒餌剤がワックス、または水性塗料を基剤としたものであって耐水性が高いため、降雨や潅水等によって濡れても当該毒餌剤が崩壊したり、有効な薬剤成分が流出することがなく、長期間にわたって安定して駆除効果を維持することができ且つ、土壌を汚染することもない。従って、降雨時等といった腹足類害虫が活発に活動する時期に合わせて腹足類害虫用駆除具を設置しても、腹足類害虫を効果的に駆除することができる。
【００７９】
また、第１実施形態〜第７実施形態に係る腹足類害虫用駆除具は、ワックス、または水性塗料を基剤とした腹足類害虫用毒餌剤を備えていることから、降雨や潅水で濡れるのを防止するために深傘等といった傘部材を備える必要がなく且つ、支持体に固着された腹足類害虫用毒餌剤全体が傘部材等で覆われることなく腹足類害虫用駆除具の外部に露出されるため、構造をシンプルにでき、これにより安価に製作することができるとともに、腹足類害虫用毒餌剤からの誘引成分を広く揮散させて効率よく腹足類害虫を誘引することができる。
【００８０】
また、第１実施形態〜第７実施形態に係る腹足類害虫用駆除具は、アクリル・ウレタン共重合樹脂エマルジョンペイントまたはアクリル樹脂水性ニスなどの水性塗料を基剤とし、当該基剤に誘引剤、および腹足類害虫駆除薬剤が混合された腹足類害虫用毒餌剤を備えていることから、高い耐水性を有しており、降雨や潅水等によって濡れても当該毒餌剤が崩壊したり、有効な薬剤成分が流出することがなく、長期間にわたって安定して駆除効果を維持することができ且つ、土壌を汚染することもない。また、腹足類害虫用駆除具の製造時において支持体の表面に固着させた腹足類害虫駆除薬剤の乾燥時間が短く、効率よく安価に腹足類害虫用駆除具を製作することができる。
【００８１】
また、第４実施形態〜第７実施形態に係る腹足類害虫用駆除具によれば、毒餌剤を土壌から所定の距離Ｘだけ確実且つ容易に離間させて設置できるので、表面に水が溜まった土壌への設置も可能となり、また腹足類害虫用毒餌剤が土壌から直接吸湿するのを防止して長期間、有効に作用させることができると共に、薬剤成分による土壌の汚染を防止することができる。
【００８２】
ここで、本発明の効果を確認するため、本発明の腹足類害虫用駆除具に係る実施例および該実施例と比較するための比較例について説明する。
【００８３】
（実施例１）
以下の実施例において用いた腹足類害虫用駆除具は、図１および図２に示されるように、直径４ｍｍ、長さ７０ｍｍの棒状支持体にワックスを基剤とした１ｇの毒餌剤の層を厚さ１ｍｍで円筒状に塗布し、乾燥して固着した腹足類害虫用駆除具とした。用いた毒餌剤の成分は、図１２の表中のサンプル５の欄に示される。また、比較例において用いた腹足類害虫用駆除具は、市販されているナメクジ駆除用の顆粒状製剤を用いた。
【００８４】
本発明の腹足類害虫用駆除具に対する各試験内容は次の通りである。
【００８５】
１．耐水性試験
試験条件：
略２５℃において、腹足類害虫用駆除具を水に濡れた腐葉土上に１〜３日放置した後、支持体を土壌に差し込んで略垂直に設置し、シャワーから２４時間または４時間、連続して水をかけた。
評価方法：
シャワーによる水かけ開始後、腹足類害虫用駆除具が共に溶けるかどうか、或いは１ｍｍ程度の大きさに崩壊するかどうか、評価した。
その結果を図１３の表に示す。
【００８６】
２．降水後の有効性試験
試験条件：
略２５℃において、水に濡れた腐葉土上に１日放置した後、略垂直に設置し、シャワーから２４時間、連続して水をかけた腹足類害虫用駆除具を検体とした。該腹足類害虫用駆除具を空気孔が明けられた密閉容器内に設置して一晩絶食させたナメクジ５頭を放した。試験は、２回実施した。
評価方法：
１日毎にナメクジの死亡個体数を計数して評価した。
２回の試験の死亡個体数を図１４の表に示す。
【００８７】
３．駆除効果試験
試験条件：
略２０℃において、周囲が開放されている地面上に配置された植木鉢のそばに、腹足類害虫用駆除具を略垂直に立てて設置し、１日間放置した。試験は、３回実施した。
評価方法：
腹足類害虫用駆除具を設置２時間後に苦悶しているナメクジの個体数、および２４時間後の死亡個体数を計数して評価した。
その結果を図１５の表に示す。
【００８８】
比較例に対する各試験内容は次の通りである。
【００８９】
１．耐水性試験
試験条件：
略２５℃において、ナメクジ駆除用の顆粒状製剤を水に濡れた腐葉土上に１〜３日放置した後、篩に置き、シャワーから２４時間または４時間、連続して水をかけた。
評価方法：
シャワーによる水かけ開始後、ナメクジ駆除用の顆粒状製剤が溶けるか、或いは１ｍｍ程度の大きさに崩壊するまでの時間を測定して評価した。
その結果を図１３の表に示す。
【００９０】
２．降水後の有効性試験
試験条件：
略２５℃において、水に濡れた腐葉土上に１日放置した後、シャワーから２４時間、連続して水をかけたナメクジ駆除用顆粒状製剤を検体とした。該ナメクジ駆除用顆粒状製剤を空気孔が明けられた密閉容器内に収容して一晩絶食させたナメクジ５頭を放した。試験は、２回実施した。
尚、検体として用いたナメクジ駆除用顆粒状製剤は、耐水性試験において比較的優れた性能を示した１種類のナメクジ駆除用顆粒状製剤とした。
評価方法：
１日毎にナメクジの死亡個体数を計数して評価した。
２回の試験の死亡個体数を図１４の表に示す。
【００９１】
試験結果は次の通りである。
【００９２】
１．耐水性試験
図１３に示されるように、腐葉土上への放置日数、１日のものは、本発明の腹足類害虫用駆除具、市販の４種類のナメクジ駆除用顆粒状製剤、共に２４時間の水かけによる形状崩壊は見られなかった。しかし、放置日数、２日および３日のものは、本発明の腹足類害虫用駆除具は、４時間の水かけによる形状崩壊は見られなかったのに対して、市販の４種類のナメクジ駆除用顆粒状製剤は、何れも１分乃至４時間で形状が崩れ、１ｍｍ以下の大きさにまで崩壊した。
以上の結果から、本発明の腹足類害虫用駆除具は、市販のナメクジ駆除用顆粒状製剤と比較して耐水性が大幅に優れていることが分かる。
【００９３】
２．降水後の有効性試験
図１４に示されるように、本発明の腹足類害虫用駆除具は、２日後に１０頭中９頭死亡（２回の試験の合計死亡個体数）したのに対して、市販のナメクジ駆除用顆粒状製剤（製剤Ｄ）は、１０頭中２頭の死亡であった。これにより、本発明の腹足類害虫用駆除具は、市販のナメクジ駆除用顆粒状製剤と比較して降水によっても効力が失われていないことが分かる。
【００９４】
３．駆除効果試験
図１５に示されるように、腹足類害虫用駆除具を設置した２時間後に４〜９頭のナメクジが苦悶しており、１日後には、３〜７頭が地面上で死亡していた。死亡に至る経緯は、植木鉢の下に潜んでいたナメクジが誘引剤から揮散する誘引成分に誘引されて腹足類害虫用駆除具に這い上がり、メタアルデヒドを含む毒餌剤を舐めて運動不能に陥り、再び植木鉢の下に隠れることができないまま、死に至ったものと推測される。
【００９５】
以上の結果から、本発明の腹足類害虫用駆除具は、植木鉢等のナメクジの食害から守りたい植物の近傍に設置することにより、周囲にいるナメクジを誘引し、効率よく駆除できることが分かった。
【００９６】
（実施例２）
次に、棒状支持体に水性塗料を基剤とした毒餌剤１ｇを塗布し、乾燥して固着した腹足類害虫用駆除具を用いた実施例について説明する。
【００９７】
本発明の腹足類害虫用駆除具に対する各試験内容は次の通りである。
【００９８】
１．乾燥試験
試験条件：
アクリル・ウレタン共重合樹脂エマルジョンペイント、およびアクリル樹脂水性ニスを基剤とし、夫々の基剤に水、ビール酵母を５：３：２の割合で混合して２種類の毒餌剤を調整する。該毒餌剤を木製の棒状支持体に塗布し、室温で乾燥させる。
評価方法：
毒餌剤が乾燥するまでの時間を測定する。また、乾燥後に毒餌剤に発生するひび割れの有無を目視で確認して評価した。
その結果を図１６の表に示す。図１６の表に示されるように、アクリル・ウレタン共重合樹脂エマルジョンペイントを基剤とした毒餌剤の乾燥時間は２時間であるのに対して、アクリル樹脂水性ニスを基剤とした毒餌剤の乾燥時間は４時間であった。また、いずれの毒餌剤も乾燥後のひび割れは確認されず、良好であった。以上の結果、短い乾燥時間、品質、生産の容易さ、などを考慮すると基剤としてはアクリル・ウレタン共重合樹脂エマルジョンペイントを用いるのが望ましい。
【００９９】
２．耐水性試験
試験条件：
図１７の表に示す成分の毒餌剤１ｇを木製の棒状支持体に塗布し、室温で２時間乾燥させて腹足類害虫用駆除具とする。該腹足類害虫用駆除具を２４時間水中に浸漬する。
評価方法：
毒餌剤が崩壊するまでの時間を測定して評価した。
耐水性試験の結果は、２４時間後でも毒餌剤の崩壊は見られず、初期の形状を良好に維持していた。
【０１００】
３．駆除効果試験
試験条件：
図１７の表に示す成分の毒餌剤を木製の棒状支持体の上半分に１ｇ塗布し、室温で２時間乾燥させた腹足類害虫用駆除具を検体とした。該腹足類害虫用駆除具２つを容器（高さ５ｃｍ×縦３０ｃｍ×横２０ｃｍ）内に設置して一晩絶食させたナメクジ５頭を放し、３０分後に観察した。試験は、２回実施した。
評価方法：
ナメクジの死亡個体数を計数して評価した。
２回の試験の死亡個体数を図１８の表に示す。図１８の表に示されるように、１回目の駆除効果試験では５頭中３頭が、２回目の駆除効果試験では５頭中４頭が苦悶且つ死亡していた。
以上の結果から、水性塗料を基剤とした毒餌剤は、周囲にいるナメクジを誘引し、効率よく駆除できることが分かった。
【０１０１】
このように、本発明の腹足類害虫用駆除具の有効性が実証された。
【０１０２】
尚、本発明は、前述した実施形態に限定されるものではなく、適宜、変形，改良，等が可能である。その他、前述した実施形態における各構成要素の材質、形状、寸法、数値、形態、数、配置箇所、等は本発明を達成できるものであれば任意であり、限定されない。
【０１０３】
例えば、本発明の腹足類害虫用駆除具は、前述した実施形態の形状に限らず、様々な形状を採りうる。ここで、図１９〜図３８を参照して、本発明の腹足類害虫用駆除具の形状に係る変形例（第１変形例〜第１０変形例）を説明する。尚、以下に説明する腹足類害虫用駆除具の第１変形例〜第１０変形例における支持体および毒餌剤の機能、材料、等については上記実施形態の説明にて述べたものと同様である。
【０１０４】
（第１変形例）
図１９および図２０は、本発明に係る腹足類害虫用駆除具の第１変形例１０１を示す斜視図であり、一端に先細り状に形成された差込部１０２ａを有する円柱状の支持体１０２の他端側全体を覆うように円柱状の毒餌剤１０３が固着されている。尚、正面図、背面図、左側面図、および右側面図は、それぞれ同一に表われるため省略する。
【０１０５】
（第２変形例）
図２１および図２２は、本発明に係る腹足類害虫用駆除具の第２変形例１１１を示す斜視図であり、一端に先細り状に形成された差込部１１２ａを有し且つ他端に把持部１１２ｂを有する円柱状の支持体１０２の差込部１１２ａと把持部１１２ｂとの間の外周面を覆うように円柱状の毒餌剤１１３が固着されている。尚、正面図、背面図、左側面図、および右側面図は、それぞれ同一に表われるため省略する。
【０１０６】
（第３変形例）
図２３および図２４は、本発明に係る腹足類害虫用駆除具の第３変形例１２１を示す斜視図であり、一端に先細り状に形成された差込部１２２ａを有する円柱状の支持体１２２の他端側全体を覆うように多角錐形状の毒餌剤１２３が固着されている。尚、正面図と背面図、左側面図と右側面図は、それぞれ同一に表われるため省略する。
【０１０７】
（第４変形例）
図２５および図２６は、本発明に係る腹足類害虫用駆除具の第４変形例１３１を示す斜視図であり、一端に先細り状に形成された差込部１３２ａを有し且つ他端に把持部１３２ｂを有する円柱状の支持体１３２の差込部１３２ａと把持部１３２ｂとの間の外周面を覆うように多角錐形状の毒餌剤１３３が固着されている。尚、正面図と背面図、左側面図と右側面図は、それぞれ同一に表われるため省略する。
【０１０８】
（第５変形例）
図２７および図２８は、本発明に係る腹足類害虫用駆除具の第５変形例１４１を示す斜視図であり、一端に先細り状に形成された差込部１４２ａを有する平板状の支持体１４２の他端側全体を覆うように矩形状の毒餌剤１４３が固着されている。尚、正面図と背面図、左側面図と右側面図は、それぞれ同一に表われるため省略する。
【０１０９】
（第６変形例）
図２９および図３０は、本発明に係る腹足類害虫用駆除具の第６変形例１５１を示す斜視図であり、一端に先細り状に形成された差込部１５２ａを有し且つ他端に把持部１５２ｂを有する平板状の支持体１５２の差込部１５２ａと把持部１５２ｂとの間の外周面を覆うように矩形状の毒餌剤１５３が固着されている。尚、正面図と背面図、左側面図と右側面図は、それぞれ同一に表われるため省略する。
【０１１０】
（第７変形例）
図３１および図３２は、本発明に係る腹足類害虫用駆除具の第７変形例１６１を示す斜視図であり、一端に先細り状に形成された差込部１６２ａを有する円柱状の支持体１６２の他端側全体を覆うように球状の毒餌剤１６３が固着されている。尚、正面図、背面図、左側面図、および右側面図は、それぞれ同一に表われるため省略する。
【０１１１】
（第８変形例）
図３３および図３４は、本発明に係る腹足類害虫用駆除具の第８変形例１７１を示す斜視図であり、一端に先細り状に形成された差込部１７２ａを有し且つ他端に把持部１７２ｂを有する円柱状の支持体１７２の差込部１７２ａと把持部１７２ｂとの間の外周面を覆うように球状の毒餌剤１７３が固着されている。尚、正面図、背面図、左側面図、および右側面図は、それぞれ同一に表われるため省略する。
【０１１２】
（第９変形例）
図３５および図３６は、本発明に係る腹足類害虫用駆除具の第９変形例１８１を示す斜視図であり、一端に先細り状に形成された差込部１８２ａを有する円柱状の支持体１８２の他端側全体を覆うように輪切円柱状の毒餌剤１８３が固着されている。尚、正面図と背面図、左側面図と右側面図は、それぞれ同一に表われるため省略する。
【０１１３】
（第１０変形例）
図３７および図３８は、本発明に係る腹足類害虫用駆除具の第１０変形例１９１を示す斜視図であり、一端に先細り状に形成された差込部１９２ａを有し且つ他端に把持部１９２ｂを有する円柱状の支持体１９２の差込部１９２ａと把持部１９２ｂとの間の外周面を覆うように輪切円柱状の毒餌剤１９３が固着されている。尚、正面図と背面図、左側面図と右側面図は、それぞれ同一に表われるため省略する。
【０１１４】
尚、本発明の腹足類害虫用駆除具の支持体は、前述した実施形態や変形例に示される形状に限らず、様々な形状を採りうる。例えば、物理的にも長期間にわたって腹足類害虫用駆除具の安定した性能を維持させ且つ腹足類害虫の駆除を妨げないように図３９（ａ）〜図３９（ｅ）に示されるような形状を有する細身の支持体を採用してもよい。図３９（ａ）〜図３９（ｅ）に示される各支持体は、細身なので、多くの量の腹足類害虫用毒餌剤を保持することができ且つ保持率も向上している。
【図面の簡単な説明】
【０１１５】
【図１】本発明の第１実施形態である腹足類害虫用駆除具の正面図である。
【図２】図１におけるＩＩ−ＩＩ矢視縦断面図である。
【図３】本発明の第２実施形態である腹足類害虫用駆除具の正面図である。
【図４】図３におけるＩＶ−ＩＶ矢視縦断面図である。
【図５】本発明の第３実施形態である腹足類害虫用駆除具の正面図である。
【図６】図５におけるＶＩ−ＶＩ矢視縦断面図である。
【図７】本発明の第４実施形態である腹足類害虫用駆除具の正面図である。
【図８】図７におけるＶＩＩＩ−ＶＩＩＩ矢視縦断面図である。
【図９】本発明の第５実施形態である腹足類害虫用駆除具の縦断面図である。
【図１０】本発明の第６実施形態である腹足類害虫用駆除具の縦断面図である。
【図１１】本発明の第７実施形態である腹足類害虫用駆除具の縦断面図である。
【図１２】実施例１として用いた腹足類害虫用駆除具の毒餌剤（サンプル５）を含む本発明の腹足類害虫用駆除具の毒餌剤として好適なサンプル１〜サンプル５の成分の詳細を示す表である。
【図１３】実施例１および比較例に対する耐水性試験の結果を示す表である。
【図１４】実施例１および比較例に対する降水後の有効性試験の結果を示す表である。
【図１５】実施例１に対する駆除効果試験の結果を示す表である。
【図１６】実施例２に対する乾燥試験の結果を示す表である。
【図１７】実施例２に用いた腹足類害虫用駆除具の毒餌剤の成分の詳細を示す表である。
【図１８】実施例２に対する駆除効果試験の結果を示す表である。
【図１９】本発明に係る腹足類害虫用駆除具の第１変形例の上方から見た斜視図である。
【図２０】本発明に係る腹足類害虫用駆除具の第１変形例の下方から見た斜視図である。
【図２１】本発明に係る腹足類害虫用駆除具の第２変形例の上方から見た斜視図である。
【図２２】本発明に係る腹足類害虫用駆除具の第２変形例の下方から見た斜視図である。
【図２３】本発明に係る腹足類害虫用駆除具の第３変形例の上方から見た斜視図である。
【図２４】本発明に係る腹足類害虫用駆除具の第３変形例の下方から見た斜視図である。
【図２５】本発明に係る腹足類害虫用駆除具の第４変形例の上方から見た斜視図である。
【図２６】本発明に係る腹足類害虫用駆除具の第４変形例の下方から見た斜視図である。
【図２７】本発明に係る腹足類害虫用駆除具の第５変形例の上方から見た斜視図である。
【図２８】本発明に係る腹足類害虫用駆除具の第５変形例の下方から見た斜視図である。
【図２９】本発明に係る腹足類害虫用駆除具の第６変形例の上方から見た斜視図である。
【図３０】本発明に係る腹足類害虫用駆除具の第６変形例の下方から見た斜視図である。
【図３１】本発明に係る腹足類害虫用駆除具の第７変形例の上方から見た斜視図である。
【図３２】本発明に係る腹足類害虫用駆除具の第７変形例の下方から見た斜視図である。
【図３３】本発明に係る腹足類害虫用駆除具の第８変形例の上方から見た斜視図である。
【図３４】本発明に係る腹足類害虫用駆除具の第８変形例の下方から見た斜視図である。
【図３５】本発明に係る腹足類害虫用駆除具の第９変形例の上方から見た斜視図である。
【図３６】本発明に係る腹足類害虫用駆除具の第９変形例の下方から見た斜視図である。
【図３７】本発明に係る腹足類害虫用駆除具の第１０変形例の上方から見た斜視図である。
【図３８】本発明に係る腹足類害虫用駆除具の第１０変形例の下方から見た斜視図である。
【図３９】（ａ）〜（ｅ）は本発明に係る腹足類害虫用駆除具の支持体の変形例を示す平面図である。
【符号の説明】
【０１１６】
１、１０、２０、３０，４０，５０，６０：  腹足類害虫用駆除具
２、２１、３２，４２，５２，６２：  支持体
２ａ、２１ａ、３２ａ、４２ａ：  差込部
３、１１：  毒餌剤（腹足類害虫用毒餌剤）
４：  土壌
５：  ナメクジ（腹足類害虫）
３２ｂ、４２ｅ、６２ｅ：  突起（間隔形成手段）
５２ａ：  クリップ部（固定手段）
【図１】
2005095133.tif 000003
【図２】
2005095133.tif 000004
【図３】
2005095133.tif 000005
【図４】
2005095133.tif 000006
【図５】
2005095133.tif 000007
【図６】
2005095133.tif 000008
【図７】
2005095133.tif 000009
【図８】
2005095133.tif 000010
【図９】
2005095133.tif 000011
【図１０】
2005095133.tif 000012
【図１１】
2005095133.tif 000013
【図１２】
2005095133.tif 000014
【図１３】
2005095133.tif 000015
【図１４】
2005095133.tif 000016
【図１５】
2005095133.tif 000017
【図１６】
2005095133.tif 000018
【図１７】
2005095133.tif 000019
【図１８】
2005095133.tif 000020
【図１９】
2005095133.tif 000021
【図２０】
2005095133.tif 000022
【図２１】
2005095133.tif 000023
【図２２】
2005095133.tif 000024
【図２３】
2005095133.tif 000025
【図２４】
2005095133.tif 000026
【図２５】
2005095133.tif 000027
【図２６】
2005095133.tif 000028
【図２７】
2005095133.tif 000029
【図２８】
2005095133.tif 000030
【図２９】
2005095133.tif 000031
【図３０】
2005095133.tif 000032
【図３１】
2005095133.tif 000033
【図３２】
2005095133.tif 000034
【図３３】
2005095133.tif 000035
【図３４】
2005095133.tif 000036
【図３５】
2005095133.tif 000037
【図３６】
2005095133.tif 000038
【図３７】
2005095133.tif 000039
【図３８】
2005095133.tif 000040
【図３９】
2005095133.tif 000041